(57)【要約】【課題】横枠部本体に対する可動部材の摺動性能を確保し且つ防煙シートの上下方向全体に十分な張力を付与しつつ、横枠部をスリム化できる防煙垂壁を提供する。【解決手段】この発明に係る防煙垂壁１は、防煙シート２と、防煙シート２における横幅方向の両端部を支持する一対の横枠部６，７とを備え、横枠部６は、第１横枠ケース６２と、防煙シート２における横幅方向の一端部に固定され、第１横枠ケース６２の内部に、防煙シート２の横幅方向に移動可能に収容された第１可動部材６１と、第１可動部材６１を防煙シート２の横幅方向外側に付勢する付勢部材６３とを備え、第１可動部材６１は、一方主面側が第１横枠ケース６２の内部空間の内側面上に摺動可能に配置された第１摺動壁部６１１と、第１摺動壁部６１１の他方主面に立設された付勢部材受部６１２とを備えている。【選択図】図４
2019058428.tif 000002
【特許請求の範囲】
【請求項１】
防煙シートと、
部屋の天井面に設置され、前記防煙シートの上部を支持する上枠部と、
前記部屋の壁面に設置され、前記防煙シートにおける横幅方向の両端部を支持する一対の横枠部とを備え、
前記一対の横枠部の少なくとも一方は、
前記防煙シートが挿通する開口部を有する横枠ケースと、
前記防煙シートにおける横幅方向の一端部に固定され、前記横枠ケースの内部に、前記防煙シートの横幅方向に移動可能に収容された可動部材と、
前記可動部材を前記防煙シートの横幅方向外側に付勢する付勢部材とを備え、
前記可動部材は、
両側主面のうちの一方主面側が前記横枠ケースの内部空間における前記防煙シートの一方主面側と同側の内側面上に摺動可能に配置された摺動壁部と、
前記摺動壁部の両側主面のうちの他方主面に立設され、前記付勢部材の端部が配置される付勢部材受部とを備えた
防煙垂壁。
【請求項２】
前記摺動壁部は、２分割された２つの分割体で構成され、前記２つの分割体の間に、前記防煙シートの端部が狭持されている
請求項１に記載の防煙垂壁。
【請求項３】
前記防煙シートの前記一端部は、前記２つの分割体の間から引き出されて、前記横枠ケースの内部空間の内面に当接している
請求項２に記載の防煙垂壁。
【請求項４】
前記２つの分割体の間から引き出された前記防煙シートの前記一端部は、前記摺動壁部の摺動面と前記横枠ケースの内側面との間に挿入されている
請求項３に記載の防煙垂壁。
【請求項５】
前記摺動壁部の摺動面と前記横枠ケースの内側面との間に挿入された前記防煙シートの前記一端部は、その挿入側の反対側において、前記摺動壁部の前記摺動面と前記横枠ケースの前記内側面との間から引き出されている
請求項４に記載の防煙垂壁。
【請求項６】
前記横枠ケースを第１横枠ケースとし、前記開口部を前記第１開口部とし、前記可動部材を第１可動部材とし、前記摺動壁部を第１摺動壁部とし、
前記一対の横枠部のうちの他方は、
前記防煙シートが挿通する第２開口部を有する第２横枠ケースと、
前記防煙シートにおける横幅方向の他端部に固定され、前記第２横枠ケースの内部に、前記防煙シートの横幅方向に移動可能に収容された第２可動部材とを備え、
前記第２可動部材は、
両側主面のうちの一方主面側が前記第２横枠ケースの内部空間における前記防煙シートの一方主面側と同側の内側面上に摺動可能に配置された第２摺動壁部と、
前記第２摺動壁部の両側主面のうちの他方主面に立設され、螺孔が設けられたボルト支持部と、
前記ボルト支持部の前記螺孔に螺挿された位置調整ボルトとを備え、
前記位置調整ボルトは、前記ボルト支持部における前記防煙シートの横幅方向内側に突出して、前記防煙シートの横幅方向内側への移動が規制された請求項１から５のうちの一項に記載の防煙垂壁。
【請求項７】
前記上枠部と前記横枠部とが交差する角部に設けられたＬ字金具を備え、
前記Ｌ字金具は、横片部と縦片部とがＬ字状に連結しており、前記横片部が前記上枠部に固定され、前記縦片部が前記横枠部に固定された
請求項１から６のうちの一項に記載の防煙垂壁。
【請求項８】
前記上枠部と前記横枠部とが交差する角部に設けられたＬ字板バネを備え、
前記Ｌ字金具は、横片部と縦片部とがＬ字状に連結しており、前記横片部が前記上枠部に固定され、前記縦片部が前記横枠部の前記外側壁部に固定され、
前記横枠部は、前記Ｌ字板バネによって、前記防煙シートの横幅方向外側に付勢されている
請求項１から６のうちの一項に記載の防煙垂壁。
【請求項９】
前記上枠部は、一列に並んだ複数の区間上枠部で構成され、
前記防煙シートは、前記複数の区間上枠部に対応した複数の区間防煙シートで構成され、
隣合う前記区間上枠部の間から垂下型横枠部が垂下され、
前記各区間防煙シートの上部は、対応する前記区間上枠部によって支持され、前記各区間防煙シートの横幅方向の一端部は、対応する前記区間上枠部の一端部に隣接配置した前記横枠部又は前記垂下型横枠部で支持され、前記各区間防煙シートの横幅方向の他端部は、対応する前記区間上枠部の他端部に隣接配置した前記横枠部又は前記垂下型横枠部によって支持された
請求項１から８のうちの一項に記載の防煙垂壁。
【発明の詳細な説明】
【技術分野】
【０００１】
この発明は、防煙シートを用いた防煙垂壁に関し、特に、防煙シートの弛み（撓みや皺も含む）を防止する技術に関する。
【背景技術】
【０００２】
従来より、防煙シートを用いた防煙垂壁は、防煙シートの横幅方向の両端部を支持する横枠部を備えている。この横枠部は、防煙シートの端部に固定された可動部材と、部屋の壁面に設置され、可動部材を防煙シートの横幅方向に移動可能に保持する横枠部本体と、可動部材を防煙シートの横幅方向外側に付勢する巻きバネとを備えている（特許文献１，２）。
【０００３】
このような従来の防煙垂壁では、可動部材には、巻きバネを受けるための巻きバネ受部が設けられている。特許文献１に記載の防煙垂壁では、巻きバネ受部は、可動部材の上端部から防煙シートよりも上側に突出すると共に、可動部材の下端部から防煙シートよりも下側に突出している。このため、巻きバネの配置箇所は、防煙シートの上端側及び下端側に制限される。
【０００４】
従って、可動部材の横幅が細く剛性が低い場合は、可動部材の上下方向中央では、巻きバネによる防煙シートの横幅方向外側への付勢が十分に伝わらず、防煙シートの弛みを十分に取ることができない。この欠点を解消するために、可動部材の横幅を太くして剛性を高めると、横枠部が大型化し、デザイン性が悪くなる。また、巻きバネが防煙シートの上端側及び下端側に配置されるため、その分、横枠部の上下方向の長さが長くなったり、横枠部の下端部が防煙シートの下辺よりも下方に突出したりして、これらによっても、デザイン性が悪くなる。
【０００５】
また、上記の従来の防煙垂壁では、可動部材は、横枠部本体に対して、防煙シートの横幅方向に移動可能に保持されている。特許文献２に記載の防煙垂壁では、横枠部本体は、防煙シートの横幅方向内側に開いた正面視コの字形に形成され、その上辺部の下面及び下辺部の上面にはそれぞれ、それらの長手方向に沿った凹溝が設けられている。可動部材も、防煙シートの横幅方向内側に開いた正面視コの字形に形成されている。そして、可動部材の上辺部及び下辺部がそれぞれ横枠部本体の上辺部の下面の凹溝及び下辺部の上面の凹溝に摺動可能に嵌合することで、可動部材は、横枠部本体に対して、防煙シートの横幅方向に移動可能に保持されている。
【０００６】
従って、可動部材の上辺部及び下辺部の長さが短いと、可動部材が移動方向に傾き易くなり、この結果、可動部材の上辺部及び下辺部が横枠部本体の上辺部の凹溝内及び下辺部の凹溝内で突っ掛かり易くなって、可動部材が円滑に摺動できなくなる。この欠点を解消するために、可動部材の上辺部及び下辺部を長くすると、横枠部が大型化し、デザイン性が悪くなる。
【先行技術文献】
【特許文献】
【０００７】
【特許文献１】特開２０１６−３４３０８号公報
【特許文献１】特許第５７５１９４３号
【発明の概要】
【発明が解決しようとする課題】
【０００８】
そこで、この発明は、横枠部本体に対する可動部材の摺動性能を確保すると共に防煙シートの上下方向全体に十分な張力を付与しつつ、横枠部をスリム化できる（即ちデザイン性を向上できる）防煙垂壁を提供することを目的とする。
【課題を解決するための手段】
【０００９】
この発明は、防煙シートと、部屋の天井面に設置され、前記防煙シートの上部を支持する上枠部と、前記部屋の壁面に設置され、前記防煙シートにおける横幅方向の両端部を支持する一対の横枠部とを備え、前記一対の横枠部の少なくとも一方は、前記防煙シートが挿通する開口部を有する横枠ケースと、前記防煙シートにおける横幅方向の一端部に固定され、前記横枠ケースの内部に、前記防煙シートの横幅方向に移動可能に収容された可動部材と、前記可動部材を前記防煙シートの横幅方向外側に付勢する付勢部材とを備え、前記可動部材は、両側主面のうちの一方主面側が前記横枠ケースの内部空間における前記防煙シートの一方主面側と同側の内側面上に摺動可能に配置された摺動壁部と、前記摺動壁部の両側主面のうちの他方主面に立設され、前記付勢部材の端部が配置される付勢部材受部とを備えた防煙垂壁である。
【００１０】
なお、付勢部材受部は、摺動壁部の長手方向全体に連続的に設けられてもよく、摺動壁部の長手方向において付勢部材の配置箇所だけに設けられてもよい。また、付勢部材は、可動部材を引っ張ることで付勢してもよく、押すことで付勢してもよい。
【００１１】
この構成により、横枠ケースに対する可動部材の摺動性能を確保すると共に防煙シートの上下方向全体に十分な張力を付与しつつ、横枠部をスリム化することができる。
【００１２】
より詳細には、付勢部材受部は、摺動壁部の両側主面のうちの他方主面に立設されているため、付勢部材の配置箇所は、防煙シートの上側及び下側に制限されず、防煙シートの上下方向の任意箇所に任意個数設けることができる。これにより、防煙シートの上下方向全体に十分な張力が作用するように、適宜個数の付勢部材を防煙シートの上下方向に互いに適宜間隔を空けて配置することができる。即ち、防煙シートの上下方向全体に適度な張力を付与するために、可動部材の横幅を太くする必要がなく、可動部材を比較的細くして横枠部をスリム化することができる。換言すれば、防煙シートの上下方向全体に十分な張力を付与しつつ、横枠部をスリム化することができる。
【００１３】
また、可動部材は、摺動壁部の両側主面のうちの一方主面側が横枠ケースの内部空間の内側面に摺動可能に配置された状態で横枠ケース内に配置されることで、横枠ケースに横方向に移動可能に保持されている。このため、可動部材の横幅（即ち摺動壁部の横幅）が短くても、可動部材が横方向に移動する際、横枠ケースの内側面に突っ掛かることはない。即ち、横枠ケースに対する可動部材の摺動性能を確保しつつ、横枠部をスリム化することができる。
【００１４】
また、付勢部材受部は、摺動壁部の片面側だけに設けられる。即ち、付勢部材は、防煙シートの片面側だけに配置される。このため、横枠部の厚さを薄くでき、これによっても、横枠部をスリム化することができる。
【００１５】
この発明の態様として、前記摺動壁部は、２分割された２つの分割体で構成され、前記２つの分割体の間に、前記防煙シートの端部が狭持されてもよい。なお、防煙シートの端部とは、防煙シートの先端に限定するものではなく、防煙シートの先端から一定距離後退した所までの範囲である。  
この構成により、防煙シートを折り曲げずに可動部材に固定でき、これにより、防煙シートの弛みを抑制することができる。
【００１６】
また、この発明の態様として、前記防煙シートの前記一端部は、前記２つの分割体の間から引き出されて、前記横枠ケースの内部空間の内面に当接してもよい。  
この構成により、防煙シートによって、横枠ケースの内部空間を防煙シートの一方主面側と他方主面側とに仕切ることができる。この結果、火災時などで発生した煙が、横枠ケースの内部空間を通って、防煙シートの一方主面側から他方主面側に流れることを防止できる。
【００１７】
また、この発明の態様として、前記２つの分割体の間から引き出された前記防煙シートの前記一端部は、前記摺動壁部の摺動面と前記横枠ケースの内側面との間に挿入されてもよい。  
この構成により、防煙シートによって、より確実に、横枠ケースの内部空間を防煙シートの一方主面側と他方主面側とに仕切ることができる。
【００１８】
また、この発明の態様として、前記摺動壁部の摺動面と前記横枠ケースの内側面との間に挿入された前記防煙シートの前記一端部は、その挿入側の反対側において、前記摺動壁部の前記摺動面と前記横枠ケースの前記内側面との間から引き出されてもよい。
【００１９】
この構成により、防煙シートによって、より一層確実に、横枠ケースの内部空間を防煙シートの一方主面側と他方主面側とに仕切ることができる。また、摺動壁部と横枠ケースとの間の摺動部分全体に防煙シートが介在するため、防煙シートによって、摺動壁部の摺動性能を向上することができる。
【００２０】
また、この発明の態様として、前記横枠ケースを第１横枠ケースとし、前記開口部を前記第１開口部とし、前記可動部材を第１可動部材とし、前記摺動壁部を第１摺動壁部とし、前記一対の横枠部のうちの他方は、前記防煙シートが挿通する第２開口部を有する第２横枠ケースと、前記防煙シートにおける横幅方向の他端部に固定され、前記第２横枠ケースの内部に、前記防煙シートの横幅方向に移動可能に収容された第２可動部材とを備え、前記第２可動部材は、両側主面のうちの一方主面側が前記第２横枠ケースの内部空間における前記防煙シートの一方主面側と同側の内側面上に摺動可能に配置された第２摺動壁部と、前記第２摺動壁部の両側主面のうちの他方主面に立設され、螺孔が設けられたボルト支持部と、前記ボルト支持部の前記螺孔に螺挿された位置調整ボルトとを備え、前記位置調整ボルトは、前記ボルト支持部における前記防煙シートの横幅方向内側に突出して、前記防煙シートの横幅方向内側への移動が規制されてもよい。
【００２１】
この構成により、位置調整ボルトを回転させることで、ボルト支持部に対する位置調整ボルトの一端部の突出量を調整でき、これにより、第２横枠ケース内での第２可動部材の横方向の位置を調整でき、この結果、防煙シートの横幅方向の張力を調整することができる。
【００２２】
また、この発明の態様として、前記上枠部と前記横枠部とが交差する角部に設けられたＬ字金具を備え、前記Ｌ字金具は、横片部と縦片部とがＬ字状に連結しており、前記横片部が前記上枠部に固定され、前記縦片部が前記横枠部に固定されてもよい。
【００２３】
この構成により、Ｌ字金具によって横枠部を部屋の壁面に押し付けて、横枠部と壁面との隙間を無くすことができる。これにより、火災時に発生した煙が、横枠部と壁面との隙間を通って、防煙シートの一方主面側から他方主面側に流れることを防止することができる。なお、Ｌ字金具の横片部と縦片部とで形成される凹角部に、横片部と縦片部の直交状態を補強するための補強リブが設けられてもよい。
【００２４】
また、この発明の態様として、前記上枠部と前記横枠部とが交差する角部に設けられたＬ字板バネを備え、前記Ｌ字金具は、横片部と縦片部とがＬ字状に連結しており、前記横片部が前記上枠部に固定され、前記縦片部が前記横枠部の前記外側壁部に固定され、前記横枠部は、前記Ｌ字板バネによって、前記防煙シートの横幅方向外側に付勢されてもよい。
【００２５】
この構成により、Ｌ字状板バネによって横枠部を部屋の壁面に押し付けて、横枠部と壁面との隙間を無くすことができる。これにより、火災時などで発生した煙が、横枠部と壁面との隙間を通って、防煙シートの一方主面側から他方主面側に流れることを防止することができる。
【００２６】
また、この発明の態様として、前記上枠部は、一列に並んだ複数の区間上枠部で構成され、前記防煙シートは、前記複数の区間上枠部に対応した複数の区間防煙シートで構成され、隣合う前記区間上枠部の間から垂下型横枠部が垂下され、前記各区間防煙シートの上部は、対応する前記区間上枠部によって支持され、前記各区間防煙シートの横幅方向の一端部は、対応する前記区間上枠部の一端部に隣接配置した前記横枠部又は前記垂下型横枠部で支持され、前記各区間防煙シートの横幅方向の他端部は、対応する前記区間上枠部の他端部に隣接配置した前記横枠部又は前記垂下型横枠部によって支持されてもよい。
【００２７】
この構成により、防煙シートは、その長手方向の途中で、垂下型横枠部で中継されて支持されるため、防煙シートの横幅が比較的長めである場合でも、防煙シートの横幅方向に十分な張力を与えることができる。
【発明の効果】
【００２８】
この発明によれば、横枠部本体に対する可動部材の摺動性能を確保すると共に防煙シートの上下方向全体に十分な張力を付与しつつ、横枠部をスリム化できる防煙垂壁を提供することを目的とする。
【図面の簡単な説明】
【００２９】
【図１】本発明の実施形態に係る防煙垂壁を示す正面図。
【図２】防煙垂壁の内部を透視した正面図。
【図３】図１のＡ−Ａ断面図。
【図４】図１のＢ−Ｂ断面図。
【図５】図１のＣ−Ｃ断面図。
【図６】（ａ）防煙シートの端部が横枠部の内面に当接した場合の変形例を示す断面図、（ｂ）防煙シートの端部が第１可動部材の摺動面と横枠部の内面との間に挿入された場合の変形例を示す断面図、（ｃ）防煙シートの端部が第１可動部材の摺動麺と横枠部の内面との間から引き出された場合の変形例を示す断面図。
【図７】上枠部と横枠部とで構成される角部にＬ字金具が設けられた場合の変形例を示す透視正面図。
【図８】上枠部と横枠部とで構成される角部にＬ字板バネが設けられた場合の変形例を示す透視正面図。
【図９】上枠部の長手方向の途中に垂下型横枠部が追加された場合の変形例を示す正面図。
【発明を実施するための形態】
【００３０】
＜実施形態＞  
この発明の一実施形態を以下図面と共に説明する。  
図１〜図５を参照して、この実施形態に係る防煙垂壁１について説明する。なお、図３〜図５において矢印で示された「前側」「後側」「上側」「下側」は、防煙シート２の前側、後側、上側及び下側を示し、「内側」「外側」は、防煙シートの横幅方向の内側及び外側を示している。なお、下記の説明で、単に「横幅方向」と記載したときは、防煙シート２の横幅方向を意味する。
【００３１】
防煙垂壁１は、建物の部屋の天井から垂下されて防煙区画を形成することで、火災時などに発生する煙が拡散することを防止するものである。図１に示すように、防煙垂壁１は、防煙シート２と、部屋の天井面３に設置され、防煙シート２の上部を支持する上枠部４と、部屋の壁面５ａ，５ｂに設置され、防煙シート２における横幅方向の両端部を支持する一対の横枠部６，７とを備えている。
【００３２】
この実施形態では、各横枠部６，７における横幅方向内側の側面の上部が上枠部４における横方向の端部に隣接することで、各横枠部６，７は、上枠部４に対して直交して配置している。
【００３３】
また、図２に示すように、この実施形態では、上枠部４の両側に配置された横枠部６，７のうち、一方の横枠部６は、張力付与型の横枠部であり、防煙シート２の横幅方向の一端部に固定された第１可動部材６１を、付勢部材６３で自動的に横枠部６の横幅方向外側に付勢することで、防煙シート２の弛みを抑制する。
【００３４】
他方の横枠部７は、張力調整型の横枠部であり、防煙シート２の横幅方向の他端部に固定された第２可動部材７１の横方向の位置を位置調整ボルトＮ１５で調整することで、防煙シート２の弛みを抑制する。即ち、他方の横枠部７において位置調整ボルトＮ１５で防煙シート２の弛みを概略的に調整し、一方の横枠部６において付勢部材６３で最適な張力に自動的に抑制する。
【００３５】
＜防煙シート２＞  
図２に示しように、防煙シート２は、例えば不燃性及び透明性を有するシート状の部材であり、例えば横長の矩形に形成されている。防煙シート２の上端部には、上枠部４に連結するための貫通孔２ａが設けられている。貫通孔２ａは、防煙シート２の横幅方向に沿って互いに間隔を空けて複数設けられている。防煙シート２の横幅方向の両端部にはそれぞれ、横枠部６に連結するための貫通孔２ｂ，２ｃが設けられている。貫通孔２ｂ，２ｃは、防煙シート２の上下方向に互いに間隔を空けて複数設けられている。
【００３６】
＜上枠部４＞  
図３に示すように、上枠部４は、防煙シート２の上部に固定されるシート上部固定部品４１と、天井面３に設置されてシート上部固定部品４１を保持する上部レール４２とを備えている。  
シート上部固定部品４１は、防煙シート２の上部において、横幅方向に沿って互いに間隔を空けて複数設けられている（図２参照）。シート上部固定部品４１は、防煙シート２の上部を狭持する例えば金属製のクリップとして構成されている。より詳細には、シート上部固定部品４１は、防煙シート２をその両主面側から狭持する２枚の板部４１ａ，４１ｂを有している。
【００３７】
各板部４１ａ，４１ｂは、例えば正面視矩形の弾性を有する平板状である。各板部４１ａ，４１ｂは、互いに間隔（例えば防煙シート２の厚さ分）を空けて対向配置している。各板部４１ａ，４１ｂの上端部は、例えば略Ｕ字状又は略Ｖ字状に一体的に連結されている。各板部４１ａ，４１ｂの下端部には、各板部４１ａ，４１ｂの対向方向外側に張り出すようにフランジ部４１ｃ，４１ｄが延設されている。一方のフランジ部４１ｄの張出量は、他方のフランジ部４１ｃの張出量よりも短くなっている。
【００３８】
各板部４１ａ，４１ｂの主面の所定箇所（例えば中央）にはそれぞれ、貫通孔４１ｅ，４１ｆが設けられている。各板部４１ａ，４１ｂの貫通孔４１ｅ，４１ｆは、互いに重なるように配置されている。一方の板部４１ａの貫通孔４１ｅは、例えば螺孔であり、他方の板部４１ｂの貫通孔４１ｆは、例えば非螺孔である。
【００３９】
このように構成されたシート上部固定部品４１は、下記のように、防煙シート２の上部に固定される。即ち先ず、各板部４１ａ，４１ｂの間に防煙シート２の上部が挿入される。この挿入状態では、防煙シート２の上部の貫通孔２ａと、シート上部固定部品４１の各板部４１ａ，４１ｂの貫通孔４１ｅ，４１ｆとは、互いに連通している。そして、ボルトＮ１が、板部４１ｂの貫通孔（非螺孔）４１ｆ及び防煙シート２の貫通孔２ａをこの順に挿通されて、板部４１ａの貫通孔（螺孔）４１ｅに螺入される。そして、各板部４１ａ，４１ｂが防煙シート２の上部を強く狭持するまで、ボルトＮ１が板部４１ａの貫通孔（螺孔）４１ｅに螺入される。
【００４０】
このように、防煙シート２の上部にシート上部固定部品４１が固定される。同様に、防煙シート２の上部の各貫通孔２ａ毎にシート上部固定部品４１が固定される。この結果、防煙シート２の上部には、その横幅方向に沿って例えば等間隔に、複数のシート上部固定部品４１が固定される。
【００４１】
図３に示すように、上部レール４２は、内部が中空で横長の棒状に形成されている。上部レール４２の内部空間は、上部レール４２における長手方向の両端で外部に開放している。上部レール４２における長手方向に直交した断面形状は、例えば矩形の枠状に形成されており、上壁部４２ａ、前壁部４２ｂ、後壁部４２ｃ及び底壁部４２ｄを有している。底壁部４２ｄには、防煙シート２の上部を上部レール４２内に取り込むための第１開口部４２ｅが設けられている。
【００４２】
第１開口部４２ｅは、上部レール４２の長手方向に沿ったスリット状に形成されており、底壁部４２ｄにおける長手方向の一端部から他端部まで形成されている。第１開口部４２ｅは、例えば、底壁部４２ｄの一対の長辺のうちの一方の長辺側（例えば後壁部４２ｃ）に偏った箇所に設けられている。即ち、底壁部４２ｄは、第１開口部４２ｅによって幅広部分４２ｄ１と幅狭部分４２ｄ２とに２分割されている。
【００４３】
より詳細には、上部レール４２は、上部レール本体４２１と上部レールカバー４２２とに２分割構成されている。  
上部レール本体４２１は、上部レール４２のうち、上壁部４２ａ、後壁部４２ｃ、及び、底壁部４２ｄの幅狭部分４２ｄ２を備えている。上壁部４２ａには、上部レール本体４２１を天井面３に固定するための貫通孔４２ｆが設けられている。貫通孔４２ｆは、例えば、上壁部４２ａにおける長手方向に沿って互いに互いに間隔を空けて複数設けられている。上壁部４２ａの下面の前縁部には、上部レールカバー４２２が連結される連結壁４２ｇが下方に向けて立設されている。連結壁４２ｇには、上部レールカバー４２２と連結するための螺孔４２ｈが貫通状に設けられている。螺孔４２ｈは、例えば、連結壁４２ｇにおいて横方向に互いに間隔を空けて複数設けられている。
【００４４】
上部レールカバー４２２は、上部レール４２のうち、前壁部４２ｂ、及び、底壁部４２ｄの幅広部分４２ｄ１を備えている。前壁部４２ｂには、上部レール本体４２１と連結するための貫通孔４２ｉが設けられている。貫通孔４２ｉは、上部レール本体４２１の螺孔４２ｈと同数設けられている。各貫通孔４２ｉはそれぞれ、各螺孔４２ｈに対応する位置（即ち各螺孔４２ｈに重なる位置）に設けられている。
【００４５】
このように構成された上枠部４は、下記のように天井面３に設置される。先ず、ネジＮ２が上壁部４２ａの貫通孔４２ｆを挿通して天井面３に螺入されることで、上部レール本体４２１が天井面３に固定される。そして、上部レールカバー４２２が上部レール本体４２１に組み合わされる。この組合状態では、前壁部４２ｂが連結壁４２ｇの外側に重なり、且つ前壁部４２ｂの貫通孔４２ｉと連結壁４２ｇの螺孔４２ｈとが相互に連通している。そして、ネジＮ３が外側から上部レールカバー４２２の貫通孔４２ｉを通じて上部レール本体４２１の螺孔４２ｈに螺入されることで、上部レールカバー４２２が上部レール本体４２１に固定される。このように、天井面３に上部レール４２が固定される。そして、上部レール４２の端部開口から内部空間に、防煙シート２の上部に固定された各シート上部固定部品４１が収容される。このように、上枠部４が天井面３に設置される。
【００４６】
この設置状態では、防煙シート２の上部が上部レール４２の開口部４２ｅから上部レール４２の内部に取り込まれており、各シート上部固定部品４１は、防煙シート２の当該上部に固定されている。そして、各シート上部固定部品４１の各板部４１ａ，４１ｂは、底壁部４２ｄに対して垂直に配置しており、各シート上部固定部品４１の各フランジ部４１ｃ，４１ｄはそれぞれ、底壁部４２ｄの幅広部分４２ｄ１及び幅狭部分４２ｄ２の各々の上面に当接している。この結果、各シート上部固定部品４１は、第１開口部４２ｅから上部レール４２の外部に脱落することなく、防煙シート２と共に上部レール４２の長手方向に移動可能に、上部レール４２の内部に収容されている。このように、上枠部４は、防煙シート２の上部を支持している。
【００４７】
＜一方の横枠部６＞  
図４に示すように、一方の横枠部６は、防煙シート２における横幅方向の一端部に固定される第１可動部材６１（可動部材）と、部屋の壁面５ａに設置されて第１可動部材６１を保持する第１横枠ケース６２（横枠ケース）と、第１可動部材６１を防煙シート２の横幅方向外側に付勢する付勢部材（例えば巻きバネ）６３とを備えている。以下、巻きバネ６３とも記載する。
【００４８】
第１可動部材６１は、縦長に形成され、その長手方向に直交する断面が略Ｌ字状に形成されている。より詳細には、第１可動部材６１は、縦長矩形の平板状の第１摺動壁部６１１（摺動壁部）と、第１摺動壁部６１１の一方主面に立設され、付勢部材６３の一端部を受ける付勢部材受部６１２とを備えている。
【００４９】
第１摺動壁部６１１は、第１横枠ケース６２の内部の内側面（例えば後述の後壁部６２ｄの内側主面）に、第１横枠ケース６２の横方向に摺動可能に当接するものであり、第１摺動壁部６１１の他方主面が摺動面６１１ａになっている。第１摺動壁部６１１は、防煙シート２の上下方向の長さと同程度の縦長の平板状に形成されている。第１摺動壁部６１１は、その厚さ方向に２分割された第１分割体６１３と第２分割体６１４とで構成されている。
【００５０】
第１分割体６１３及び第２分割体６１４はそれぞれ、例えば縦長矩形の平板状に形成されている。第１分割体６１３及び第２分割体６１４にはそれぞれ、互いを締結するための貫通孔６１３ａ，６１４ａが設けられている。各貫通孔６１３ａ，６１４ａはそれぞれ、第１分割体６１３及び第２分割体６１４において、互いに重なる位置（例えば主面の中央）に、厚さ方向に沿って貫通状に設けられている。第１分割体６１３の外側主面（即ち摺動面６１１ａ）には、第１分割体６１３及び第２分割体６１４を締結するためのボルトＮ６の頭部が収容される凹部６１３ｂが設けられており、その凹部６１３ｂの底面に貫通孔６１３ａが設けられている。
【００５１】
このように構成された第１可動部材６１は、下記のように、防煙シート２における横幅方向の一端部に固定される。先ず、第１分割体６１３と第２分割体６１４との間に、防煙シート２の一端部が挟み込まれる。この状態で、ボルトＮ６が順に第１分割体５１３の貫通孔６１３ａ、防煙シート２の横幅方向の一端部の貫通孔２ｂ、及び、第２分割体６１４の貫通孔６１４ａに挿通されて、ナットＮ７に締結される。この結果、第１分割体６１３と第２分割体６１４との間に、防煙シート２の一端部が狭持されて固定される。
【００５２】
この固定状態では、ボルトＮ６の頭部は、凹部６１３ｂ内において摺動面６１１ａよりも内側に収容されている。また、防煙シート２は、第１摺動壁部６１１における横幅方向内側の端部から引き出されている。
【００５３】
付勢部材受部６１２は、例えば平板状に形成され、第１摺動壁部６１１における横幅方向内側の端部から第１摺動壁部６１１の一方主面側（即ち前側）に向かって突出している。付勢部材受部６１２は、第１摺動壁部６１１の上端部から下端部に亘って設けられている。付勢部材受部６１２には、貫通孔６１２ａが設けられている。貫通孔６１２ａには、巻きバネ６３を支持するための支持棒ＳＢが挿通方向に移動可能に挿通されている。
【００５４】
支持棒ＳＢの一端部（即ち防煙シート２の横幅方向内側の端部）には、例えば円板形のフランジ部ＳＢ１が設けられている。フランジ部ＳＢ１は、巻きバネ６３の内径よりも大きい外径を有しており、支持棒ＳＢの外周側に張り出している。支持棒ＳＢの他端部（即ち防煙シート２の横幅方向外側の端部）には、ナットＳＢ２が螺着されており、支持棒ＳＢが貫通孔６１２ａから脱落することが防止されている。巻きバネ６３は、付勢部材受部６１２と支持棒ＳＢのフランジ部ＳＢ１との間に挟まれた状態で配置されると共に、支持棒ＳＢの外周に配置されている。
【００５５】
この結果、巻きバネ６３は、支持棒ＳＢにより付勢部材受部６１２の所定箇所に保持されている。この実施形態では、巻きバネ６３は、例えば、付勢部材受部６１２において上部から一定距離下がった箇所と、下部から一定距離上がった箇所の計２カ所に保持されている。これにより、最低限の個数（２個）の巻きバネ６３で、防煙シート２の上下方向全体に十分な張力が作用させることができる。そして、支持棒ＳＢが貫通孔６１２ａ内を挿通移動して、フランジ部ＳＢ１と付勢部材受部６１２との間隔が縮まると、巻きバネ６３が弾性圧縮され、巻きバネ６３の弾性反発力によって付勢部材受部６１２及びフランジ部ＳＢ１がそれらの離間方向に付勢される。
【００５６】
図４に示すように、第１横枠ケース６２は、内部が中空で縦長のケース状に形成されている。第１横枠ケース６２における長手方向に直交した断面形状は、例えば矩形の枠状に形成されており、前壁部６２ａ、外側壁部６２ｂ、内側壁部６２ｃ及び後壁部６２ｄを有している。内側壁部６２ｃには、防煙シート２における横幅方向の一端部を第１横枠ケース６２内に取り込むための第１開口部６２ｅ（開口部）が設けられている。
【００５７】
第１開口部６２ｅは、第１横枠ケース６２の長手方向に沿ったスリット状に形成されており、内側壁部６２ｃにおける長手方向の上端部から下端部まで形成されている。第１開口部４２ｅは、例えば、内側壁部６２ｃの一対の長辺のうちの一方の長辺側（例えば後壁部６２ｄ側）に偏った箇所に設けられている。即ち、内側壁部６２ｃは、第１開口部４２ｅによって幅広部分６２ｃ１と幅狭部分６２ｃ２とに２分割されている。
【００５８】
より詳細には、第１横枠ケース６２は、第１ケース本体６２１と第１カバー６２２とに２分割構成されている。  
第１ケース本体６２１は、第１横枠ケース６２のうち、外側壁部６２ｂ、内側壁部６２ｃの幅狭部分６２ｃ２、及び、後壁部６２ｄを備えている。外側壁部６２ｂには、第１ケース本体６２１を部屋の壁面５ａに固定するための貫通孔６２ｆが設けられている。貫通孔６２ｆは、外側壁部６２ｂの上下方向に沿って互いに間隔を空けて複数設けられている。外側壁部６２ｂの前縁部には、第１カバー６２２が連結される連結壁６２ｇが内側壁部６２ｃに向かって立設されている。連結壁６２ｇには、第１カバー６２２と連結するための螺孔６２ｈが貫通状に設けられている。螺孔６２ｈは、連結壁６２ｇにおいて上下方向に互いに間隔を空けて複数配置されている。
【００５９】
第１カバー６２２は、第１横枠ケース６２のうち、前壁部６２ａ、及び、内側壁部６２ｃの幅広部分６２ｃ１を備えている。前壁部６２ａには、第１ケース本体６２１と連結するための貫通孔６２ｉが設けられている。貫通孔６２ｉは、第１ケース本体６２１の螺孔６２ｈと同数設けられている。各貫通孔６２ｉはそれぞれ、各螺孔６２ｈに対応する位置（即ち各螺孔６２ｈに重なる位置）に設けられている。
【００６０】
このように構成された横枠部６は、下記のように壁面５ａに設置される。先ず、ネジＮ９が外側壁部６２ｂの貫通孔６２ｆを挿通して壁面５に螺入されることで、第１ケース本体６２１が壁面５ａに固定される。そして、第１ケース本体６２１内に、防煙シート２の一端部に固定された第１可動部材６１が収容される。そして、第１カバー６２２が第１ケース本体６２１に組み合わされる。この組合状態では、前壁部６２ａが連結壁６２ｇの外側に重なり、且つ前壁部６２ａの貫通孔６２ｉと連結壁６２ｇの螺孔６２ｈとが相互に連通している。そして、ネジＮ１１が外側から貫通孔６２ｉを通じて螺孔６２ｈに螺入されることで、第１カバー６２２が第１ケース本体６２１に固定される。このように、横枠部６が壁面５ａに設置される。
【００６１】
この設置状態では、防煙シート２における横幅方向の一端部は、第１横枠ケース６２の第１開口部６２ｅから第１横枠ケース６２の内部に取り込まれており、第１可動部材６１は、防煙シート２の当該一端部に固定されている。第１可動部材６１の第１摺動壁部６１１の摺動面６１１ａは、第１横枠ケース６２の内面（例えば後壁部６２ｄの内側主面、即ち防煙シート２の一方主面側と同側の内面）に、第１横枠ケース６２の横方向（即ち防煙シート２の横幅方向）に摺動可能に当接している。第１可動部材６１の付勢部材受部６１２は、防煙シート２の他方主面側に突出して第１横枠ケース６２の反対側の内面（例えば前壁部６２ａの内側主面）に隣接している。巻きバネ（付勢部材）６３は、付勢部材受部６１２と第１横枠ケース６２の内側壁部６２ｃとの間に配置され、付勢部材受部６１２を防煙シート２の横幅方向外側に付勢している。
【００６２】
この結果、第１可動部材６１は、第１横枠ケース６２内において防煙シート２の横幅方向に移動可能に収容されており、巻きバネ６３によって防煙シート２の横幅方向外側に付勢されることで、防煙シート２にその横幅方向外側への張力を付与している。このように、横枠部６は、防煙シート２にその横幅方向外側への張力を付与した状態で壁面５ａに設置されている。
【００６３】
＜他方の横枠部７＞  
図５に示すように、他方の横枠部７は、一方の横枠部６において、付勢部材６３及び支持棒ＳＢを省略し、位置調整ボルトＮ１５を追加したものに相当する。他方の横枠部７は、第２可動部材７１と、第２横枠ケース７２とを備えている。第２可動部材７１は、第２摺動壁部７１１と、ボルト支持部７１２とを備えている。
【００６４】
第２摺動壁部７１１は、一方の横枠部６の第１摺動壁部６１１と同様に構成されており、第３分割体７１３と第４分割体７１４とを備えている。第３分割体７１３及び第４分割体７１４の間に、防煙シート２における横方向の他端部が挟まれた状態で、ボルトＮ１３が第３分割体７１３の貫通孔７１３ａ、防煙シート２の他端部の貫通孔２ｂ、及び、第４分割体７１４の貫通孔７１４ａを順に挿通してナットＮ１４に締結される。これにより、第２可動部材７１に防煙シート２の当該他端部が固定されている。
【００６５】
ボルト支持部７１２には、その厚さ方向に貫通状に螺孔７１２ａが設けられており、その螺孔７１２ａには、第２横枠ケース７２内での第２可動部材７１における横方向の位置を調整するための位置調整ボルトＮ１５が螺入されている。螺孔７１２ａは、ボルト支持部７１２の厚さよりも長いナットがボルト支持部７１２に厚さ方向に貫通状に設けられることで、ボルト支持部７１２の厚さよりも長く形成されている。これにより、螺孔７１２ａによって位置調整ボルトＮ１５をぐらつくことなく支持することができる。なお、螺孔７１２ａは、ボルト支持部７１２の厚さと同じ長さでもよい。
【００６６】
位置調整ボルトＮ１５は、ボルト支持部７１２の上下方向の適宜箇所に設けられている。この実施形態では、位置調整ボルトＮ１５は、ボルト支持部７１２において上部から一定距離下がった箇所と、下部から一定距離上がった箇所の計２カ所に設けられている。これにより、最低限の個数（２個）の位置調整ボルトＮ１５で、防煙シート２の上下方向全体に十分な張力が作用させることができる。
【００６７】
位置調整ボルトＮ１５は、防煙シート２の横幅方向の内側から螺孔７１２ａが螺入されており、ボルト支持部７１２において防煙シート２の横幅方向の内側に突出している。位置調整ボルトＮ１５の一端部（例えば頭部）が第２横枠ケース７２の内側壁部７２ｃの内側主面に当接することで、位置調整ボルトＮ１５の突出量に応じて、第２横枠ケース７２内での第２可動部材７１における横方向の位置が調整される。位置調整ボルトＮ１５の突出量は、位置調整ボルトＮ１５の螺孔７１２ａへの螺入量を調整することで可能である。なお、位置調整ボルトＮ１５の一端部が第２横枠ケース７２の内側壁部７２ｃの内側主面に当接することで、位置調整ボルトＮ１５は、第２横枠ケース７内での防煙シート２の横幅方向内側への移動が規制されている。
【００６８】
第２横枠ケース７２は、一方の横枠部６の第１横枠ケース６２と同様に形成されており、第２ケース本体７２１と第２カバー７２２とを備えている。第２ケース本体７２１は、一方の横枠部６の第１ケース本体６２１と同様に、外側壁部７２ｂ、内側壁部７２ｃの幅狭部分７２ｃ２、後壁部７２ｄ、及び、連結壁７２ｇを備えている。第２カバー７２２は、一方の横枠部６の第１カバー６２２と同様に、前壁部７２ａ、及び、内側壁部７２ｃの幅広部分７２ｃ１を備えている。幅広部分７２ｃ１には、位置調整ボルトＮ１５と対向する位置に、位置調整ボルトＮ１５の螺入量を調整するための器具（ドライバなど）を挿通可能な開口部７２ｊが設けられている。
【００６９】
他方の横枠部７は、一方の横枠部６と同様に、壁面５ｂに設置される。即ち、ネジＮ１６が外側壁部７２ｂの貫通孔７２ｆを挿通して壁面５ｂに螺入されることで、第２ケース本体７２１が壁面５ａに固定される。そして、第２ケース本体７２１内に、防煙シート２の他端部に固定された第２可動部材７１が収容される。そして、第２カバー７２２が第２ケース本体７２１に組み合わされる。この状態で、ネジＮ１７が外側から前壁部７２ａの貫通孔７２ｉを通じて連結壁７２ｇの螺孔７２ｈに螺入されることで、第２カバー７２２が第２ケース本体７２１に固定される。このように、他方の横枠部７は壁面５ｂに設置される。
【００７０】
この設置状態では、防煙シート２における横幅方向の他端部は、第２横枠ケース７２の第２開口部７２ｅから第２横枠ケース７２の内部に取り込まれており、第２可動部材７１は、防煙シート２の当該他端部に固定されている。第２可動部材７１の第２摺動壁部７１１の摺動面７１１ａは、第２横枠ケース７２の内面（例えば後壁部７２ｄの内側主面、即ち防煙シート２の一方主面側と同側の内面）に、第２横枠ケース７２の横方向（即ち防煙シート２の横方向）に摺動可能に当接している。ボルト支持部７１２は、防煙シート２の他方主面側に突出して第２横枠ケース７２の反対側の内面（例えば前壁部７２ａの内側主面）に隣接している。ボルト支持部７１２に螺入された位置調整ボルトＮ１５の一端部（例えば頭部）は、第２横枠ケース７２の内側壁部７２ｃの内側主面に当接している。これにより、位置調整ボルトＮ１５の突出量に応じて、第２横枠ケース７２内での第２可動部材７１の横方向の位置が調整されている。
【００７１】
この結果、第２可動部材７１は、第２横枠ケース７２内において防煙シート２の横幅方向に移動可能に収容されており、位置調整ボルトＮ１５によって位置調整ボルトＮ１５の突出量に応じた幅方向の位置に支持されることで、防煙シート２に作用する横幅方向外側への張力を調整している。このように、他方の横枠部７は、防煙シート２に作用する横幅方向外側への張力を調整可能に壁面５ｂに設置されている。
【００７２】
＜主要な効果＞  
以上、この実施形態に係る防煙垂壁１によれば、防煙シート２と、部屋の天井面３に設置され、防煙シート２の上端を支持する上枠部４と、部屋の壁面５に設置され、防煙シート２における横幅方向の両端部を支持する一対の横枠部６，７とを備え、一対の横枠部６，７の少なくとも一方は、防煙シート２が挿通する第１開口部４２ｅを有する第１横枠ケース６２と、防煙シート２における横幅方向の一端部に固定され、第１横枠ケース６２の内部に、防煙シート２の横幅方向に移動可能に収容された第１可動部材６１と、第１可動部材６１を防煙シート２の横幅方向外側に付勢する付勢部材６３とを備え、第１可動部材６１は、両側主面のうちの一方主面側が第１横枠ケース６２の内部空間における防煙シート２の一方主面側と同側の内側面上に摺動可能に配置された第１摺動壁部６１１と、第１摺動壁部６１１の両側主面のうちの他方主面に立設され、付勢部材６３の端部が配置される付勢部材受部６１２とを備えている。
【００７３】
この構成により、第１横枠ケース６２に対する第１可動部材６１の摺動性能を確保すると共に防煙シート２の上下方向全体に十分な張力を付与しつつ、横枠部６をスリム化することができる。
【００７４】
より詳細には、付勢部材受部６１２は、第１摺動壁部６１１の両側主面のうちの他方主面に立設されている。従って、付勢部材６３の配置箇所は、防煙シート２の上側及び下側に制限されず、防煙シート２の上下方向の任意箇所に任意個数設けることができる。  
これにより、防煙シート２の上下方向全体に十分な張力が作用するように、適宜個数の付勢部材６３を防煙シート２の上下方向に互いに適宜間隔を空けて配置することができる。なお、この実施形態では、付勢部材６３は、一例として、防煙シート２の上部から一定距離下がった箇所と下部から一定距離上がった箇所の計２箇所に配置されている。  
従って、防煙シート２の上下方向全体に適度な張力を付与するために、第１可動部材６１の横幅を太くする必要がなく、第１可動部材６１を比較的細くして横枠部６，７をスリム化することができる。換言すれば、防煙シート２の上下方向全体に十分な張力を付与しつつ、横枠部６をスリム化することができる。
【００７５】
また、第１可動部材６１は、その縦長の第１摺動壁部６１１の両側主面のうちの一方主面側が第１横枠ケース６２の内部空間の内側面に摺動可能に配置された状態で第１横枠ケース６２内に配置されることで、第１横枠ケース６２に横方向に移動可能に保持されている。このため、第１可動部材６１の横幅（即ち第１摺動壁部６１１の横幅）が短くても、第１可動部材６１が横幅方向に移動する際、第１横枠ケース６２の内側面に突っ掛かることはない。即ち、第１横枠ケース６２に対する第１可動部材６１の摺動性能を確保しつつ、横枠部６をスリム化することができる。
【００７６】
また、付勢部材受部６１２は、第１摺動壁部６１１の片面側だけに設けられる。即ち、付勢部材６３は、防煙シート２の片面側だけに配置される。このため、横枠部６の厚さを薄くでき、これによって、横枠部６を一層スリム化することができる。
【００７７】
また、第１摺動壁部６１１は、その厚さ方向に２分割されて構成され、その２つの分割体６１３，６１４の間に、防煙シート２の端部が狭持されるため、防煙シート２を折り曲げずに第１可動部材６１に固定でき、防煙シート２の弛みを抑制することができる。
【００７８】
また、一対の横枠部６，７のうちの他方（即ち横枠部７）は、防煙シート２が挿通する第２開口部７２ｅを有する第２横枠ケース７２と、防煙シート２における横幅方向の他端部に固定され、第２横枠ケース７２の内部に、防煙シート２の横幅方向に移動可能に収容された第２可動部材７１と、第２可動部材７１は、両側主面のうちの一方主面側が第２横枠ケース７２の内部空間における防煙シート２の一方主面側と同側の内側面上に摺動可能に配置された第２摺動壁部７１１と、第２摺動壁部７１１の両側主面のうちの他方主面に立設され、螺孔７１２ａが設けられたボルト支持部７１２と、ボルト支持部７１２の螺孔７１２ａに螺挿された位置調整ボルトＮ１５とを備え、位置調整ボルトＮ１５の一端部は、ボルト支持部７１２における防煙シート２の横幅方向内側に突出して、第２横枠ケース７２の内部空間の内面に当接することで防煙シート２の横幅方向内側への移動が規制されている。このため、位置調整ボルトＮ１５を回転させることで、ボルト支持部７１２からの位置調整ボルトＮ１５の突出量を調整でき、これにより、第２横枠ケース７２内でのボルト支持部７１２の横方向の位置を調整でき、この結果、防煙シート２の横幅方向の張力を調整することができる。
【００７９】
＜変形例１＞  
図６（ａ）に示すように、上記の実施形態において、防煙シート２における横幅方向の一端部２ｔは、一方の横枠部６の第１摺動壁部６１１を構成する２つの分割体６１３，６１４の間から引き出されて、第１横枠ケース６２の内部空間の内面（例えば外側壁部６２ｂの内側主面）に当接させてもよい。この場合、防煙シート２は、腰（弾性）を有することが望ましい。この腰により、防煙シート２の一端部２ｔを第１横枠ケース６２の内面に十分に強い力で当接させることができる。
【００８０】
この構成により、防煙シート２によって、第１横枠ケース６２の内部空間を防煙シート２の一方主面側と他方主面側とに仕切ることができる。この結果、火災時などで発生した煙が、第１横枠ケース６２の内部空間を通って、防煙シート２の一方主面側から他方主面側に流れることを防止できる。
【００８１】
更に図６（ｂ）に示すように、防煙シート２の一端部２ｔは、２つの分割体６１３，６１４の間から引き出されて、第１摺動壁部６１１の摺動面６１１ａと第１横枠ケース６２の内側面（例えば後壁部６２ｄの内側主面）との間に挿入されてもよい。この構成により、防煙シート２の一端部２ｔが第１摺動壁部６１１の摺動面６１１ａと第１横枠ケース６２の内側面とで狭持されるため、第１摺動壁部６１１がどの位置にあっても摺動中でも、防煙シート２の一端部２ｔを確実に第１横枠ケース６２の内側面に当接させることができる。この結果、防煙シート２によって、より確実に、第１横枠ケース６２の内部空間を防煙シート２の一方主面側と他方主面側とに仕切ることができる。
【００８２】
更に図６（ｃ）に示すように、防煙シート２の一端部２ｔは、第１摺動壁部６１１の摺動面６１１ａと第１横枠ケース６２の内側面との間に挿入され、その挿入側の反対側において、第１摺動壁部６１１の摺動面６１１ａと第１横枠ケース６２の内側面との間から引き出されてもよい。この構成により、防煙シート２の一端部２ｔが第１摺動壁部６１１の摺動面６１１ａと第１横枠ケース６２の内側面との間から抜け難くなる。この結果、防煙シート２によって、より一層確実に、第１横枠ケース６２の内部空間を防煙シート２の一方主面側と他方主面側とに仕切ることができる。また、第１摺動壁部６１１と第１横枠ケース６２との間の摺動部分全体に防煙シート２が介在するため、防煙シート２によって、第１摺動壁部６１１の摺動性能を向上することができる。
【００８３】
なお、この変形例では、一方の横枠部６に適用した場合で説明したが、他方の横枠部７に適用してもよい。
【００８４】
＜変形例２＞  
図７に示すように、上記の実施形態において、更に、上枠部４と横枠部６とが交差する角部Ｒ１に、Ｌ字金具２０が設けられてもよい。Ｌ字金具２０は、横片部２１と縦片部２２とがＬ字状に連結して構成されている。横片部２１と縦片部２２とで形成された凹角部には、横片部２１と縦片部２２との直交状態を補強するための補強リブ２３が設けられている。横片部２１は、上枠部４の上壁部４２ａの内側主面に固定され、縦片部２２は、横枠部６の外側壁部６２ｂの内側主面に固定されている。
【００８５】
より詳細には、Ｌ字金具２０の横片部２１及び縦片部２２にはそれぞれ、貫通孔２１ａ，２２ａが設けれ、上枠部４の上壁部４２ａ及び横枠部６の外側壁部６２ｂにはそれぞれ、貫通孔４２ｊ，６２ｊが設けられている。そして、ネジＮ２１が横片部２１の貫通孔２１ａ及び上枠部４の貫通孔４２ｊを順に挿通して天井面３に螺入されることで、Ｌ字金具２０の横片部２１と上枠部４とが天井面３に共締め固定される。また、ネジＮ２２が縦片部２２の貫通孔２２ａ及び横枠部６の貫通孔６２ｊを順に挿通して壁面５ａに螺入されることで、Ｌ字金具２０の縦片部２２と横枠部６とが壁面５ａに共締め固定されている。  
同様に、上枠部４と横枠部７とが交差する角部に、Ｌ字金具２０を設けてもよい。
【００８６】
この構成により、Ｌ字金具２０によって横枠部６，７を部屋の壁面５ａ，５ｂに押し付けて、横枠部６，７と壁面５ａ，５ｂとの隙間を無くすことができる。これにより、火災時などで発生した煙が、横枠部６，７と壁面５ａ，５ｂとの隙間を通って、防煙シート２の一方主面側から他方主面側に流れることを防止することができる。
【００８７】
＜変形例３＞  
図８に示すように、上記の実施形態において、更に、上枠部４と横枠部６とが交差する角部Ｒ１に、Ｌ字板バネ３０が設けられてもよい。Ｌ字板バネ３０は、横片部３１と縦片部３２とが９０度よりも大きく開いた略Ｌ字状に連結して構成されている。横片部３１は、上枠部４の上壁部４２ａの内側主面に固定され、縦片部３２は、横枠部６の外側壁部６２ｂの内側主面に固定されている。
【００８８】
より詳細には、例えば、Ｌ字板バネ３０の横片部３１及び縦片部３２にはそれぞれ、貫通孔３１ａ，３２ａが設けれ、上枠部４の上壁部４２ａ及び横枠部６の外側壁部６２ｂにはそれぞれ、貫通孔４２ｋ，６２ｋが設けられている。そして、ネジＮ３１が横片部３１の貫通孔３１ａ及び上枠部４の貫通孔４２ｋを順に挿通して天井面３に螺入されることで、Ｌ字板バネ３０の横片部３１と上枠部４とが天井面３に共締め固定される。また、ネジＮ３２が縦片部３２の貫通孔３２ａ及び横枠部６の貫通孔６２ｋを順に挿通して壁面５ａに螺入されることで、Ｌ字板バネ３０の縦片部３２と横枠部６とが壁面５ａに共締め固定されている。  
同様に、上枠部４と横枠部７とが交差する角部Ｒ２に、Ｌ字板バネ３０が設けられてもよい。
【００８９】
この構成により、Ｌ字板バネ３０によって横枠部６，７を部屋の壁面５ａ，５ｂに押し付けて、横枠部６，７と壁面５ａ，５ｂとの隙間を無くすことができる。これにより、火災時などで発生した煙が、横枠部６，７と壁面５ａ，５ｂとの隙間を通って、防煙シート２の一方主面側から他方主面側に流れることを防止することができる。
【００９０】
＜変形例４＞  
上記の実施形態では、２つの横枠部６，７のうち、一方の横枠部６が張力付与型の横枠部で、他方の横枠部７が張力調整型の横枠部であるが、一方の横枠部６が張力調整型の横枠部で、他方の横枠部７が張力付与型の横枠部であってもよく、両方の横枠部６，７が張力付与側の横枠部であってもよく、両方の横枠部６，７が張力調整型の横枠部であってもよい。
【００９１】
＜変形例５＞  
図９に示すように、この変形例５は、上記の実施形態において、防煙シート２が、その横幅方向の途中で、垂下型横枠部１０で中継されて支持されたものである。以下、上記の実施形態と異なる点を説明し、同じ点は同一符号を付して詳細説明を省略する。
【００９２】
この変形例５では、上枠部４は、２つの区間上枠部４Ａ，４Ｂで構成され、各区間横枠部４Ａ，４Ｂは、互いに間隔を空けて一列に並んでいる。防煙シート２も、２つの区間防煙シート２Ａ，２Ｂで構成され、各区間防煙シート２Ａ，２Ｂは、各区間上枠部４Ａ，４Ｂに対応しており、横幅方向に並んで配置されている。隣合う各区間上枠部４Ａ，４Ｂの間には、垂下型横枠部１０が天井面３から垂下して配置されている。
【００９３】
各区間上枠部４Ａ，４Ｂは、上枠部４と比べて、長さが異なるだけで、それ以外の部分は同様に構成されている。各区間防煙シート２Ａ，２Ｂは、防煙シート２と比べて、横幅の長さが異なるだけで、それ以外の部分は同様に構成されている。一方の横枠部６及び他方の横枠部７は、上記の実施形態のそれらと同じである。
【００９４】
垂下型横枠部１０は、その横幅方向の両側に、防煙シート２の端部を支持する機能を備えるものであり、例えば、２つの横枠部８，９が互いに背中合わせで相互連結されて構成されている。横枠部８は、他方の横枠部７と同様に構成され、横枠部９は、一方の横枠部６と同様に構成されている。
【００９５】
一方の防煙シート２Ａでは、その上部は、対応する区間上枠部４Ａによって支持され、その横幅方向の一端部は、対応する区間上枠部４Ａの一端部に隣接配置された一方の横枠部６によって支持され、その横幅方向の他端部は、対応する区間上枠部４Ａの他端部に隣接配置された垂下型横枠部１０の横枠部８によって支持されている。
【００９６】
他方の防煙シート２Ｂでは、その上部は、対応する区間上枠部４Ｂによって支持され、その横幅方向の一端部は、対応する区間上枠部４Ｂの一端部に隣接配置された垂下型横枠部１０の横枠部９によって支持され、その横幅方向の他端部は、対応する区間上枠部４Ｂの他端部に隣接配置された他方の横枠部７によって支持されている。
【００９７】
図９では、各横枠部６，９を張力付与型の横枠部とし、各横枠部７，８を張力調整型の横枠部としているが、各横枠部６，７を張力付与型の横枠部とし、各横枠部８，９を張力調整型の横枠部としてもよく、各横枠部６，７を張力調整型の横枠部とし、各横枠部８，９を張力付与型の横枠部としてもよく、全ての横枠部６，７，８，９を張力付与型の横枠部としてもよく、全ての横枠部６，７，８，９を張力調整型の横枠部としてもよい。
【００９８】
この変形例５によれば、防煙シート２は、その長手方向の途中で、垂下型横枠部１０で中継されて支持されるため、防煙シート２の横幅が比較的長めである場合でも、防煙シート２の横幅方向に十分な張力を与えることができる。
【００９９】
なお、この変形例５では、防煙シート２が１つの垂下型横枠部１０で中継支持されたが、２つ以上の垂下側横枠部１０で中継支持されてもよい。この場合は、上枠部４は、３つ以上の区間上枠部で構成され、防煙シートも３つ以上の区分防煙シートで構成され、各区間上枠部の間に垂下型横枠部１０が垂下されて配置される。
【０１００】
この発明は、上述の実施形態及び変形例の構成のみに限定されるものではなく、上述の実施形態及び変形例の組み合わせも含み、多くの実施の形態を得ることができる。
【０１０１】
例えば、上述の説明では、防煙垂壁１を構成する上枠部４を天井面３に設置し、一対の横枠部６，７を部屋の壁面５ａ，５ｂに設置したが、天井面３や壁面５ａ，は躯体そのものであってもよいし、躯体から離間して配置されたボードであってもよい。
【０１０２】
天井面３や壁面５ａがボードである場合、上枠部４や横枠部６，７をボードに取り付けることとなるが、躯体から離間して配置された壁面５ａを構成するボードに固定する横枠部６，７に比べ、Ｃ型チャンネル材やＭ型通し材を介して躯体から支持されている天井面３を構成するボードに固定する上枠部４は、ボードを介してＭ型通し材やＣ型チャンネル材に固定することができ、しっかりと固定することができる。
【０１０３】
そのため、図７や図８に示すように、上枠部４と横枠部６，７とが交差する角部Ｒ１に、Ｌ字金具２０やＬ字板バネ３０を設けることによって、Ｌ字金具２０やＬ字板バネ３０を介して横枠部６，７をＭ型通し材やＣ型チャンネル材からしっかりと固定することができる。
【０１０４】
殊に、上枠部４と横枠部６，７とが交差する角部Ｒ１にＬ字板バネ３０を設けることによって、壁面５ａを構成するボードが横枠部６，７から離れる方向に変位したり、変形した場合であっても、Ｍ型通し材やＣ型チャンネル材からしっかりと固定されたＬ字板バネ３０の付勢力によって、離れる方向に変位したり、変形した壁面５ａに対して横枠部６，７を押し付けることができ、壁面５ａと横枠部６，７との間に隙間が生じることを防止することができる。
【産業上の利用可能性】
【０１０５】
この発明は、建物の部屋の天井から垂下されて防煙区画を形成することで、火災時などに発生する煙が拡散することを防止する防煙垂壁への適用に最適である。
【符号の説明】
【０１０６】
１…防煙垂壁
２…防煙シート
３…天井面
４…上枠部
５ａ，５ｂ…壁面
６，７…横枠部
８，９…垂下型横枠部
２０…Ｌ字金具
２１…横片部
２２…縦片部
３０…Ｌ字バネ
３１…横片部
３２…縦片部
６１…第１可動部材（開口部）
６２…第１横枠ケース（横枠ケース）
６２ｅ…第１開口部（開口部）
６３…付勢部材
７１…第２可動部材
７２…第１２枠ケース
７２ｅ…第２開口部
６１１…第１摺動壁部
６１２…付勢部材受部
６１３…第１分割体
６１４…第２分割体
７１１…第２摺動壁部
７１２…ボルト支持部
Ｎ１５…位置調整ボルト
【図１】
2019058428.tif 000003
【図２】
2019058428.tif 000004
【図３】
2019058428.tif 000005
【図４】
2019058428.tif 000006
【図５】
2019058428.tif 000007
【図６】
2019058428.tif 000008
【図７】
2019058428.tif 000009
【図８】
2019058428.tif 000010
【図９】
2019058428.tif 000011